(57)【要約】【課題】使い捨てタイプであり且つ、使用寿命の長い不織布製の清掃具を提供する。【解決手段】不織布製の第１のシート１１と、第１のシート１１に重ねて配置された不織布製の第２のシート１１’とを設け、第１のシート１１及び第２のシート１１’を相互に重ね、一端部に開口１４を残して結合部１２を形成した後、開口部１４を通して裏返すことにより手を挿入し得る袋を形成し、さらに、袋の奥端部に、袋内に挿入された手の指球を覆う長さで、結合部１２から袋内に延びるフラップ１３を設ける。【選択図】  図１
2004208904.tif 000002
【特許請求の範囲】
【請求項１】
不織布製の第１のシートと、
該第１のシートに重ねて配置された不織布製の第２のシートとを備え、
前記第１のシート及び前記第２のシートは、相互に重ねられ一端部に開口を残してこれらを結合する結合部により手を挿入し得る袋を形成しており、
該袋の奥端部には、前記結合部から袋内に延びるフラップが形成され、該フラップは、前記袋内に挿入された手の指球を覆う長さで前記結合部から袋内へ延びていることを特徴とする清掃具。
【請求項２】
前記フラップは、第１のシート及び第２のシートの少なくとも一方の周縁部と前記結合部との間の帯状部分で形成されていることを特徴とする請求項１記載の清掃具。
【請求項３】
前記フラップは、前記第１のシート及び前記第２のシートの少なくとも一方に結合された帯状片により形成されていることを特徴とする請求項１記載の清掃具。
【発明の詳細な説明】
【０００１】
【発明の属する技術分野】
本発明は、不織布を清掃面に有する使い捨てタイプの清掃具及びその製造方法に関する。
【０００２】
【従来の技術】
近年、乾式の手軽な拭き掃除のために、不織布等の布製で使い捨てタイプの清掃具が用いられている。この種の清掃具としては、手又は保持具に当てがった状態に保持されて使用される袋状や筒状のものや、専ら柄付き保持具に装着されて用いられる矩形のシート状のものが提案されている。
【０００３】
例えば、特開平１０−１３７１６８号公報（特許文献１）には、２枚の拭布を積層し周縁部を結合した手袋状のハンドモップが記載されている。このハンドモップは、被清掃面の形状に沿って自在に変形させることができ、複雑な形状の被清掃面の細部まで清掃できる。
【０００４】
しかしながら、このような清掃具は、使い捨てとするために払拭面となる不織布が通常薄く強度も弱くなっているため、摩耗し易く使用寿命が短いという欠点があった。
【０００５】
摩耗を防ぐために、例えば特開平０７−３２７９０１号公報（特許文献２）に開示のように、指先部を二重にすることができる。しかし、摩耗防止部材を各指毎に別途接着する必要があり、製造工程が複雑になるという問題があった。
【０００６】
【特許文献１】
特開平１０−１３７１６８号公報（第１頁）
【０００７】
【特許文献２】
特開平０７−３２７９０１号公報（第２頁）
【０００８】
【発明が解決しようとする課題】
通常、払拭による摩耗は、使用の際に手指の先端付近の圧力を受ける指先部に集中する。従来の清掃具では、この指先部での摩耗のために清掃具全体の交換を余儀なくされていた。すなわち、従来の清掃具は、指先部以外の部分がほとんど摩耗していない場合でも、指先部が摩耗するだけで捨てられていた。
【０００９】
本発明は、このような従来の技術の問題点を解消し、使い捨てタイプであり且つ、使用寿命の長い不織布製の清掃具を提供することを目的としている。
【００１０】
【課題を解決するための手段】
上記課題を解決するため、本発明に係る清掃具は、不織布製の第１のシートと、該第１のシートに重ねて配置された不織布製の第２のシートとを備え、前記第１のシート及び前記第２のシートは、相互に重ねられ一端部に開口を残してこれらを結合する結合部により手を挿入し得る袋を形成しており、該袋の奥端部には、前記結合部から袋内に延びるフラップが形成され、該フラップは、前記袋内に挿入された手の指球を覆う長さで前記結合部から袋内へ延びていることを特徴としている。
【００１１】
上記清掃具によれば、前記フラップによって前記第１のシート又は前記第２のシートの主な払拭面となる指先部が補強されるので、前記第１のシート又は前記第２のシートが摩耗しても指先部には払拭時の不快感が伝わりにくい。これにより前記第１のシート又は前記第２のシートが摩耗しきるまで、或いは前記フラップに摩耗が生じるまで使用を継続することができ、使用寿命を長くすることができる。また、前記フラップが重ねられて厚くなった不織布の弾力性により心地良い使用感を得ることができる。
【００１２】
また、上記清掃具よれば、殊更に製造工程を煩雑にすることなく、摩耗しやすい指先部下側の不織布だけをフラップにより選択的に補強し、不織布を有効に使用することができる。したがって、不織布を従来のものより薄くし、コストを低減させることもできる。
【００１３】
上記清掃具において、前記フラップは、第１のシート及び第２のシートの少なくとも一方の周縁部と前記結合部との間の帯状部分で形成されていることが望ましい。
【００１４】
上記清掃具によれば、第１のシート及び第２のシートを相互に重ね合わせ一端部に開口を残して結合部を形成した後、開口部を通して裏返すという簡単な操作により、結合部から袋内に延び、第１のシート及び第２のシートのいずれかと一続きのフラップを形成することができる。
【００１５】
或いは上記清掃具において、前記フラップは、前記第１のシート及び前記第２のシートの少なくとも一方に結合された帯状片により形成されていることが望ましい。
【００１６】
上記清掃具によれば、第１のシートと帯状片と第２のシートとを順に重ねて結合させるという簡単な操作により、結合部から袋内に延びるフラップを形成することができる。
【００１７】
【発明の実施の形態】
図１は、本発明の実施形態に係る清掃具を示した平面図であり、図２は、図１に示した清掃具１０の奥端部の断面図である。
【００１８】
図示のように、本発明の実施形態に係る清掃具１０は、不織布製の第１のシート１１と、第１のシート１１に重ねて配置された不織布製の第２のシート１１’とを備え、第１のシート１１及び第２のシート１１’は、相互に重ねられ一端部に開口１４を残してこれらを結合する結合部１２により手を挿入し得る袋を形成しており、該袋の奥端部には、結合部１２から袋内に延びるフラップ１３が形成され、フラップ１３は、前記袋内に挿入された手Ａの指球Ｂ１を覆う長さで結合部１２から袋内へ延びている。
【００１９】
フラップ１３は第１のシート１１と第２のシート１１’との間に位置し、使用時には払拭を行う第１のシート１１又は第２のシート１１’の上に重ねられ、指先部Ｂの指球Ｂ１の下側に当てられる。
【００２０】
清掃具１０によれば、フラップ１３によって第１のシート１１の主な払拭面となる指先部Ｂの下側が補強されるので、第１のシート１１が摩耗しても指先部Ｂには払拭時の不快感が伝わりにくい。これにより第１のシート１１又は第２のシート１１’が摩耗しきるまで、或いはフラップ１３に摩耗が生じるまで使用を継続することができ、使用寿命を長することができる。また、フラップ１３が重ねられて厚くなった不織布の弾力性により心地良い使用感を得ることができる。
【００２１】
清掃具１０は、２枚の不織布製シート１１，１１’からなるので、シート１１及びシート１１’のいずれの表面でも汚れ等を拭き取ることができる。さらに、第１のシート１１及び第２のシート１１’のいずれの面を用いる場合にも、指球Ｂ１の下側にフラップ１３を当て、前述の効果を得ることができる。
【００２２】
次に、図１に示した清掃具１０の製造方法について説明する。
【００２３】
図３（ａ）〜（ｃ）は、図１に示した清掃具１０の製造方法の概略を示す図である。
【００２４】
まず、図３（ａ）に示すように、第１のシート１１とそれより一回り小さい第２のシート１１’とを用意する。第１のシート１１は、破線で示した第２のシート１１’の形状から突出した帯状部分１１ａを有している。
【００２５】
次に、図３（ｂ）に示すように、第１のシート１１と第２のシート１１’とを相互に重ね合わせる。このとき、第１のシート１１の帯状部分１１ａを第２のシート１１’から突出させる。重ね合わせの後、一端部に開口１４を残しつつ第２のシート１１’の周縁部に沿って、第１のシート１１と第２のシート１１’とを融着や縫合などの結合手段で結合することにより結合部１２を形成する。
【００２６】
次に、図３（ｃ）に示すように、開口部１４を通して裏返す。これにより結合部１２に沿ったフラップ１３を、第１のシートの周縁部と結合部１２との間の帯状部分１１ａで形成する。このようにフラップ１３を帯状部分１１ａで形成するために、結合部１２を、裏返し前の第１のシート１１の周縁から帯状に距離をおいて設けておく。
【００２７】
本実施形態によれば、第１のシート１１と第２のシート１１’とを相互に重ね合わせ、結合部１２を形成して裏返すという簡単な操作で、結合部１２から袋内に延びるフラップ１３を有する清掃具を製造することができる。この場合、フラップ１３は第１のシート１１と一続きの不織布を折り返して構成されるので、第１のシート１１と第２のシート１１’との間を融着などで結合させればよく、フラップ１３と第１のシート１１との間についてはその必要がない。したがって結合部１２の形成が容易である。
【００２８】
本実施形態では、第１のシート１１だけに帯状部分を設ける場合を示したが、第１のシート１１及び第２のシート１１’の両方の周縁部と結合部１２との間に帯状部分をそれぞれ設け、それぞれの帯状部分でフラップ１３を形成することもできる。この場合、結合部１２から袋内に延びるフラップ１３は２枚となり、使用感や使用寿命の面でより有利となる。この場合は、第２のシート１１’を第１のシート１１と同じ形状とすることができる。したがって、矩形など汎用性のある形状の不織布を第１のシート１１及び第２のシート１１’として用い、これらを重ね合わせ、ここから手袋形状を切り抜く操作と、融着などにより結合する操作とを連続的に行うことができる。これにより、合わせずれなどの不具合を抑えることができる。
【００２９】
また、本実施形態では、第１のシート１１及び第２のシート１１’として別々の不織布を用いたが、一続きの不織布を折り重ねて、第１のシート１１に相当する部位と第２のシート１１’に相当する部位とを各々構成することもできる。
【００３０】
図４は、本発明の他の実施形態に係る清掃具４０を示した平面図であり、図５は、図４に示した清掃具４０の奥端部の断面図である。図示のように、本発明の実施形態に係る清掃具４０は、不織布製の第１のシート４１と、第１のシート４１に重ねて配置された不織布製の第２のシート４１’と、帯状片４１ａとを備え、第１のシート４１及び第２のシート４１’は相互に重ねられ一端部に開口４４を残して結合部４２が形成されることにより手を挿入し得る袋を形成しており、帯状片４１ａは、袋の奥端部に結合部４２から袋内に延びるフラップ４３を構成し、フラップ４３は、袋内に挿入された手Ａの指球を覆う長さで結合部４２から袋内へ延びている。
【００３１】
本実施形態では、図５に示すように結合部４２が袋の外側に突出していることと、フラップ４３を第１のシート４１とは別の帯状片４１ａにより形成していることとを除いては先の実施形態で説明したものと同じ構成となっている。
【００３２】
図６（ａ）及び（ｂ）は、図４に示した清掃具４０の製造方法の概略を示す図である。
【００３３】
まず、図６（ａ）に示すように、第１のシート４１とそれとほぼ同じ形状の第２のシート４１’と帯状片４１ａとを用意する。
【００３４】
次に、図６（ｂ）に示すように、第１のシート４１と帯状片４１ａと第２のシート４１’とを重ね合わせる。このとき、帯状片４１ａを第１のシート４１と第２のシート４１’との間に挟み、帯状片４１ａの周縁の一部が第１のシート４１及び第２のシート４１’の周縁の一部と重なるように配置する。これらを重ね合わせた後、一端部に開口４４を残しつつ第２のシート４１’の周縁部に沿って、第１のシート４１と帯状片４１ａと第２のシート４１’とを融着や縫合などの結合手段で結合することにより結合部４２を形成する。これにより、フラップ４３が、第１のシート４１及び第２のシート４１’に結合された帯状片４１ａで形成される。
【００３５】
本実施形態によれば、第１のシート４１と、帯状片４１ａと、第２のシート４１’とを順に重ねて結合させるという簡単な操作により、袋の奥端部に結合部４２から袋内に延びるフラップ４３を得ることができ、先の実施形態のように裏返すことを必要とせず、先の実施形態で述べた清掃具１０と同様の効果を得ることができる。
【００３６】
帯状片４１ａは、第１のシート４１又は第２のシート４１’と同種の不織布に限定されない。例えば、ゴム製シート、スポンジ状シート等の弾力性を有するシートを帯状片４１ａに用いることもできる。このようにして帯状片４１ａの弾力性を高めることにより、比較的広域の平面を払拭する場合に、清掃具と被清掃面とを面接触させることができる。これにより、清掃効率を高めることができ、また、指球部により清掃具と被清掃面とを主に点接触させる場合と比べて、摩耗を低減することができる。細部を清掃する場合に帯状片４１ａが邪魔になるときには、指先がフラップの下になるように指を移動させるだけでよい。
【００３７】
本実施形態では、手袋形状の第１のシート４１及び第２のシート４１’と、帯状片４１ａとを重ねて結合させる場合を示したが、矩形など汎用性のある形状の不織布を第１のシート４１、第２のシート４１’及び帯状片４１ａとして用い、これらを重ね合わせ、ここから手袋形状を切り抜く操作と、融着などにより結合する操作とを連続的に行うことができる。これにより、合わせずれなどの不具合を抑えることができる。この場合、帯状片４１ａとなる不織布は、切り抜かれる手袋形状の指先部のみを覆うように配置しておくとよい。
【００３８】
また、本実施形態では、第１のシート４１及び第２のシート４１’として別々の不織布を用いたが、一続きの不織布を折り重ねて、第１のシート４１に相当する部位と第２のシート４１’に相当する部位とを各々構成することもできる。
【００３９】
【発明の効果】
本発明に係る清掃具は、袋状をなすように結合された不織布製の第１のシート及び第２のシートと、袋の奥端部に結合部から袋内に延びるフラップが備えられており、フラップは、袋内に挿入された手の指球を覆う長さで結合部から袋内へ延びている。したがって、第１のシート又は第２のシートが摩耗しきるまで、或いはフラップに摩耗が生じるまで使用を継続することができ、使用寿命の長い不織布製の清掃具を実現することができる。
【図面の簡単な説明】
【図１】本発明の実施形態に係る清掃具を示した平面図である。
【図２】図１に示した清掃具の奥端部の断面図である。
【図３】図１に示した清掃具の製造方法の概略を示す図である。
【図４】本発明の他の実施形態に係る清掃具を示した平面図である。
【図５】図４に示した清掃具の奥端部の断面図である。
【図６】図４に示した清掃具の製造方法の概略を示す図である。
【符号の説明】
１０、４０  清掃具
１１、４１  第１のシート
１１’、４１’  第２のシート
１２、４２  結合部
１３、４３  フラップ
１４、４４  開口
【図１】
2004208904.tif 000003
【図２】
2004208904.tif 000004
【図３】
2004208904.tif 000005
【図４】
2004208904.tif 000006
【図５】
2004208904.tif 000007
【図６】
2004208904.tif 000008